(57)【要約】【課題】一つの紙容器において不正開封抑止機能を有しつつ、蓋体の初期開封が容易であり、使用中において蓋体の不用意な持ち上がりを簡単に防止できるようにし、紙容器を用いてなる商品の安全性を消費者側に高くアピールできるようにする。【解決手段】蓋体４の横垂れ板１４に、蓋体起こしによる容器開封時に分離する第一不正開封規制手段１６を形成し、蓋体４の前垂れ板１３に、蓋体起こしによる容器開封時に分離する第二不正開封規制手段２１を形成し、前垂れ板１３の内面に、正面板８の係止舌片２３に係脱可能にして係止する蓋開き防止手段２２を設けた。【選択図】    図２
2005231694.tif 000002
【特許請求の範囲】
【請求項１】
正面板と背面板と左右側面板と底面板とからなり上面を取出口とする箱本体と、前記背面板の上辺部に折り部を介して連接されて前記取出口を開閉可能に覆う蓋体とを備える紙容器であって、
前記蓋体の前辺部に、蓋閉時に正面板に重なる前垂れ板が連接されているとともに、蓋体の左右側辺部それぞれに、蓋閉時に前記左右側面板に重なる横垂れ板が連接され、
前記横垂れ板それぞれは、該横垂れ板の後部に破断可能な分離線で区分された第一領域を前記側面板に貼着して、蓋体起こしによる容器開封時に分離する第一不正開封規制手段を有し、
前記前垂れ板は、破断可能な分離線を介して連接された第二領域を前記正面板に貼着して、蓋体起こしによる容器開封時に分離する第二不正開封規制手段を有するとともに、該前垂れ板の内面に、前記正面板の上辺部から正面板の表面側に折り倒された係止舌片に係脱可能にして係止する段部からなる蓋開き防止手段を有することを特徴とする紙容器。
【請求項２】
上記箱本体には中仕切りが配置され、該中仕切りは、連接された一対の起立板とこの起立板それぞれの基端側を切り込んでなる係止片とを備え、前記係止片を除く一対の前記起立板を山形に折り起こすとともに、この一対の起立板の折り起こしにより形成された一方の起立板基端の係止片抜け孔に、他方の起立板の基端の係止片が係止して、一対の起立板の折り起こし状態を維持する構成とした請求項１に記載の紙容器。
【発明の詳細な説明】
【技術分野】
【０００１】
本発明は、薄型板チョコレートなど菓子類を収納するための紙容器に関するものである。
【背景技術】
【０００２】
従来から紙容器に対しては開閉可能な蓋体が不用意に開かないようにしたり、切断予定部分を利用者が僅かな力で切断できるようにしたり、そして、収納した物品の内部での配列を保つことができるようにしており、これらが他の用具を利用することなく包装材で実施できるようにした数々の工夫が提案されている。
例えば、容器本体の前面板上辺にその前面板の外面側に折り返された係止片を設け、蓋閉時に前面板に重なる蓋体の前垂れ板の内面が、蓋体を閉じるごとに前記係止片に係脱可能に係止するようにして、蓋体が自然に持ち上がって容器本体の上面の取出口が外部に対して開いてしまうことを防止するリクローズ用のロック構造がある（特許文献１参照）。
また、商品陳列時などで紙容器が不正開封されないように、前記蓋体の横垂れ板に箱本体の側面板に貼着する領域を設けてこれを側面板に貼着し、正規の購入者が蓋体を持ち上げることで、横垂れ板から前記貼着部分が分離するようにし、蓋体の持ち上げによる不正な開封操作をすればその操作形跡が残ることが判るようにした、所謂、不正開封防止の技術がある（特許文献２参照）。
そして、紙容器を商品購入者が容易に開封するための切断予定部位を、不連続の切れ目を入れることで形成する技術がある（特許文献３参照）。
さらに、収納物を仕切る中仕切りとして、中底とする板材中に折り起こしする対の起立板を設け、その起立板を山形に折り起こすとともに起立板の基端泡に切り込みにて形成された係止片と係止孔との係合によって、起立板の折り起こし状態が位置できるようにする工夫も提案されていた（特許文献４参照）。
【特許文献１】実開昭４９−５７３２３号公報
【特許文献２】実開昭５１−６８７２５号公報
【特許文献３】実開昭６０−７６６２４号公報
【特許文献４】実開昭５６−６８６６１号公報
【発明の開示】
【発明が解決しようとする課題】
【０００３】
上記蓋体の開閉に関わるリクローズ用ロック構造の工夫や上記不正開封防止の工夫、そして不連続な切れ目により開封予定部位を形成する工夫は、それぞれ紙容器に対して単独で施されているものであり、これらの技術が複合的に施された紙容器は存在していなかった。
一方、近年の菓子類商品では包装形態の簡素化を目指して従来から用いられてきた透明なカバーフィルムを使用しない傾向にある。この透明なカバーフィルムは不正開封の防止や異物混入の防止に大きな効果があったことから、透明なカバーフィルムを使用しない商品形態とする紙容器において、不正開封の抑止機能と異物混入の防止機能を有しながら、正規の購入者が開封するときには容易に開封でき、さらに一旦開封した紙容器の使用中に、蓋体の不用意な開きが生じないようにするこれらの複数の技術を複合的に盛り込むことが望まれるようになってきた。
そこで本発明は上記事情に鑑み、一つの紙容器において不正開封抑止と異物混入防止の機能を有しつつ、蓋体の初期開封が容易であり、使用中において蓋体の不用意な持ち上がりを簡単に防止できるようにすることを課題とし、この紙容器を用いてなる商品の安全性を消費者側に高くアピールできるようにすることを目的とするものである。
【課題を解決するための手段】
【０００４】
本発明は上記課題を考慮してなるもので、正面板と背面板と左右側面板と底面板とからなり上面を取出口とする箱本体と、前記背面板の上辺部に折り部を介して連接されて前記取出口を開閉可能に覆う蓋体とを備える紙容器であって、前記蓋体の前辺部に、蓋閉時に正面板に重なる前垂れ板が連接されているとともに、蓋体の左右側辺部それぞれに、蓋閉時に前記左右側面板に重なる横垂れ板が連接され、前記横垂れ板それぞれは、該横垂れ板の後部に破断可能な分離線で区分された第一領域を前記側面板に貼着して、蓋体起こしによる容器開封時に分離する第一不正開封規制手段を有し、前記前垂れ板は、破断可能な分離線を介して連接された第二領域を前記正面板に貼着して、蓋体起こしによる容器開封時に分離する第二不正開封規制手段を有するとともに、該前垂れ板の内面に、前記正面板の上辺部から正面板の表面側に折り倒された係止舌片に係脱可能にして係止する段部からなる蓋開き防止手段を有することを特徴とする紙容器を提供して、上記課題を解消するものである。
【０００５】
そして、上記箱本体には中仕切りが配置され、該中仕切りは、連接された一対の起立板とこの起立板それぞれの基端側を切り込んでなる係止片とを備え、前記係止片を除く一対の前記起立板を山形に折り起こすとともに、この一対の起立板の折り起こしにより形成された一方の起立板基端の係止片抜け孔に、他方の起立板の基端の係止片が係止して、一対の起立板の折り起こし状態を維持する構成とすることが良好である。
【発明の効果】
【０００６】
本発明においては、蓋体の横垂れ板それぞれが、容易に分離できる状態で側面板に貼着した第一不正開封規制手段を有し、蓋体の前垂れ板が、同じく容易に分離できる状態で正面板に貼着した第二不正開封規制手段を有しているので、不正開封規制手段が三ヶ所あることとなり、不正開封を目的として僅かな力で蓋体を持ち上げようとしてもその僅かな力では抵抗が大きく蓋体を持ち上げることができないようになり、蓋体の不正開封の防止を積極的に行なうものとなる。また、不正開封しようとしたときに箱本体の三方の面それぞれに前記不正開封規制手段が分離された状態で残ることが明らかであり、三方のいずれかから異物を入れるなどの不正行為を確実に防止できる。
そして、このような不正開封規制に絶大な効果を有しながらも、正規の購入者であれば蓋体を容易に持ち上げることができて開封操作が簡単であり、また、開封後の蓋体を閉じる場合でも前垂れ板の係止手段で、蓋体の不用意な持ち上がりを防止できる。加えて、三方の垂れ板と箱本体の三方の面板との対向面の間が小さく、異物の混入が確実に防止できるなど、実用性に優れた効果を奏するものである。
【０００７】
加えて、上記中仕切りは構造が簡単であり、この中仕切りを箱本体内に配しても製造コストを大きく引き上げることがなく、収納物を適正に仕切って保持する紙容器とすることができる。
【発明を実施するための最良の形態】
【０００８】
つぎに本発明を図１から図５に示す実施の形態に基づいて詳細に説明する。
図中１は紙容器で、該紙容器１は開封後の形態である図２に示すように、上面を取出口２とする箱本体３と、この箱本体３の前記取出口２を覆う蓋体４と、前記箱本体３の内分に配置される中仕切り５とを備えたもので、複数の板状の収納物Ａが前記中仕切り５にて区分配列された状態で箱本体３に収納されているものである。
箱本体３は、展開状態の包装材を表している図３に示すように、背面板６、側面板７、正面板８、側面板７、糊代９が一連にして連接され、前記糊代９に一方の側面板７の箱内方面側に貼り付けることで、四つの面板が四方に配されているとともに、前記正面板８と背面板６、そして両側面板７の下辺部それぞれに折り部を介して連接された底面板構成片を重ね合わせて貼り合わせることで底面板１１を構成している。
【０００９】
上記蓋体４は展開したブランク（図３）に示されているように箱本体３と一体となっているものであって、図示されているように上記背面板６の上辺部に折り部１２を介して連接されている。そのため、後述するように開封操作が行われた後にはこの蓋体４は背面板６の上辺側を中心にして回動可能となり、取出口２を開閉可能に覆うことができるものとなる。
さらに蓋体４においては図１に示されているように、その前辺部には蓋閉時に正面板８に重なる前垂れ板１３が連接され、左右側辺部それぞれには蓋閉時に左右側面板７に重なる横垂れ板１４が連接されていて、隣り合うことになる前垂れ板１３と横垂れ板１４とにあっては、横垂れ板１４の前記前垂れ板１３側の辺部の下端寄りの位置から延設された舌片１５が前垂れ板１３の箱内方側の面に貼り付けられている。
【００１０】
蓋体三方の上記垂れ板１３、１４の内、横垂れ板１４それぞれは、該横垂れ板１４の後部（背面板側）に破断可能な分離線１６で区分された第一領域１７を側面板７に貼着している。この第一領域１７の側面板７に対する貼り付けで蓋体４に対する不正な持ち上げ操作を抑えるようにしており、この第一領域１７の貼着により蓋体起こしによる容器開封時に分離する第一不正開封規制手段１８が形成されている。このように第一不正開封規制手段１８を横垂れ板１４それぞれが有しているので、蓋体４を持ち上げれば図２に示すように第一不正開封規制手段１８が側面板７の外表面に残り、蓋体４を戻しても分断跡が明確に表れ、蓋閉時でも開封操作されたものであることが判るようになる。
第一不正開封規制手段１８を容易に分離できるようにするために上記分離線１６は不連続な切れ目で構成されており、図１に示すようにその分断がより確実にしてスムーズに進むようにするために、切れ目それぞれの横垂れ板下辺側が開いたＹ形の切れ目とし、カット分部の寸法も、ミシン目分離線形態のものに比べて十分に長く形成されているものである。
【００１１】
上記前垂れ板１３にも同一目的の工夫が施されていて、それぞれ下辺部に連続する一対の平行な切れ目とこの切れ目の上端位置それぞれを結ぶ破断可能である不連続な切れ目からなる分離線１９を介して連接された第二領域２０を正面板８に貼着している。この第二領域２０の貼着によって、蓋体起こしによる容器開封時に分離する第二不正開封規制手段２１がこの前垂れ板１３に形成されている。
この第二不正開封規制手段２１も、蓋体４を持ち上げれば正面板８に残ることとなり、蓋体４を元に戻しても分断跡が明確に確認できるものとなる。そのため、不正開封を抑止する効果を有するものとなる。勿論、正規の使用者が蓋体４を通常の操作で持ち上げるようにすれば容易に不連続の切れ目からなる個所が破断するものであり、通常の開封操作を妨げることはない。
上述したように蓋体４の三方において第一不正開封規制手段１８、第二不正開封規制２１が設けられているため、不正開封目的で僅かな力で蓋体４持ち上げようとしても確実にこの操作を防止することができるとともに、面板と垂れ板との対向面間を広げようとする操作も抑え、いたずらなどの不正行為を防ぐことに効果がある。勿論、面板と垂れ板との対向面間が狭く、またぴったりと接合した状態に保たれるので、流通過程や陳列時での異物混入も確実に防止できる。
【００１２】
また、上記前垂れ板１３の両辺の箱内方側の面に上述したように舌片１５が貼着され、図５に示すように前記舌片１５の上辺側にこの舌片厚さ分の段部とした蓋開き防止手段２２が形成されている。この蓋開き防止手段２２は、図２に示すように、正面板８の上辺部から正面板８の表面側に折り倒された係止舌片２３に係脱可能にして係止するものであり、蓋体４を閉じて前記蓋開き防止手段２３が係止舌片２３に係止することで蓋体４の閉じ状態が維持される。また、この閉じ状態から通常の操作で蓋体４を持ち上げるようにすれば、前記係止舌片２３それぞれが撓んで蓋開き防止手段２２が外れる。このように、本紙容器１では初期開封を行なった後でも、蓋体４による取出口２の閉鎖が適正に行われるようにしているため、この点からも異物の混入などを防止できる。
【００１３】
上記中仕切り５は箱本体３に収まる幅の紙板材からなり、この紙板材は図４に示すように連接された一対の起立板２４とこの起立板２４それぞれの基端側を切り込んでなる係止片２５とを備えている。そして、前記係止片２５を除く前記一対の前記起立板２４それぞれを山形に折り起こすことで、前記係止片２５それぞれを起立板２４より外方の中底板２６と面一様態とするとともに、起立板２４の基端それぞれに前記係止片２５が抜けたことによる係止片抜け孔２７を形成し、一方の起立板２４の係止片抜け孔２７に他方の起立板２４の係止片２５を係止させて、一対の起立板２４の折り起こし状態を維持しているものである。このように中仕切り５自体の構造が極めて簡単であり、容易に製作でききるものであることから、この中仕切り５を箱本体３に組み入れても本紙容器の製造コストを引き上げることはない。
そして、この中仕切り５によって収納物Ａの並びが維持されるため、初期開封時や蓋体開閉に際して箱本体側に振動が加わっても、収納物の並びが崩れず取り出しが容易に行えるようになる。なお、図においては収納物Ａを縦並べしている状態として示しているが、区画ごとに積み重ね状態で収納されるようにしてもよい。
【図面の簡単な説明】
【００１４】
【図１】本発明に係る紙容器の一例を斜視状態で示す説明図である。
【図２】一例の開封を中仕切りと収納物とを取り出した状態で示す説明図である。
【図３】一例の箱本体をブランクの状態で示す説明図である。
【図４】一例における中仕切りをブランクの状態で示す説明図である。
【図５】蓋閉時の蓋開き防止手段と係止舌片とを断面で示す説明図である。
【図６】一例の六面を示す説明図である。
【符号の説明】
【００１５】
１…紙容器
２…取出口
３…箱本体
４…蓋体
５…中仕切り
６…背面板
７…側面板
８…正面板
１０…底面板構成片
１１…底面板
１３…前垂れ板
１４…横垂れ板
１６…分離線
１８…第一不正開封規制手段
１９…分離線
２１…第二不正開封規制手段
２２…蓋開き防止手段
２３…係止舌片
２４…起立板
２５…係止片
２６…中底板
２７…係止片抜け孔
【図１】
2005231694.tif 000003
【図２】
2005231694.tif 000004
【図３】
2005231694.tif 000005
【図４】
2005231694.tif 000006
【図５】
2005231694.tif 000007
【図６】
2005231694.tif 000008